(57)【要約】容器の底部からネックを通って容器開口部まで伸びる隔壁を有する多区画容器。閉鎖部はこの容器を漏れないように密閉し、区画間の内部混入を防ぐ。この容器は、単一製造工程で吹込み成形されてもよい。更にこの容器は、ハンドル又は／及び分配レセプタクルを備えてもよい。
2004509026.tif 000002
【特許請求の範囲】
【請求項１】
二つ又はそれ以上の異なる流出可能組成物を含有するための一個の容器であって、
基部と、
組成物を分配するための開口部を有するネックと、
該基部と該ネックを相互連結し、該流出可能組成物のための室を画定する側壁と、
該室を二つ又はそれ以上の区画に分ける、該開口部から下向きに伸びる隔壁と、引力の影響で該組成物がボトルから分配される時、実質的に等しい割合で該組成物を分配するための手段とを具備するボトル。
【請求項２】
該隔壁が、該基部から該ネックまで伸びる側壁に一対の溝を形成し、前記溝が、該ネックが該側壁と接続する領域で又はこの接続の上の領域で細くなっている、請求項１に記載の容器。
【請求項３】
該容器を密閉するための閉鎖手段を更に具備し、前記閉鎖手段が、該開口部で該容器から及び一区画から他の区画への漏れを防ぐ密閉を提供する、請求項１に記載の容器。
【請求項４】
実質的に等しい割合で該組成物を分配するための該手段が、該開口部内のリストリクタである、請求項１に記載の容器。
【請求項５】
リストリクタが、該開口部の寸法を調節する、請求項３に記載の容器。
【請求項６】
リストリクタが、該開口部の形状を調節する、請求項３に記載の容器。
【請求項７】
該隔壁が、該開口部から該基部まで下向きに伸びる、請求項１に記載の容器。
【請求項８】
該隔壁が、該開口部から該側壁まで下向きに伸びる、請求項１に記載の容器。
【請求項９】
該側壁が、第一の長さである前壁及び後壁、並びに第一の長さより短い第二の長さである一対の中間側壁を具備し、該隔壁が前壁と後壁の間で延在する、請求項１に記載の容器。
【請求項１０】
実質的に等しい割合で該組成物を分配するための該手段が、分配中に該隔壁が実質的に鉛直方向に維持されるように該容器を配向するための手段を具備する、請求項１に記載の容器。
【請求項１１】
該容器を配向するための該手段が、分配中に消費者が該容器を保持するのを補助するための該側壁のくぼみであり、前記くぼみが該隔壁に平行である長い軸線を有する、請求項１０に記載の容器。
【請求項１２】
該容器を配向するための該手段が、該隔壁に平行である平面において該容器の該側壁に取り付けられるハンドルである、請求項１０に記載の容器。
【請求項１３】
該ハンドルが、該側壁に旋回可能に取り付けられる、請求項１２に記載の容器。
【請求項１４】
該ハンドルが、該平面から約６０°まで旋回することができる、請求項１３に記載の容器。
【請求項１５】
該容器を配向するための該手段が、該容器隔壁平面に垂直であるヒンジ軸線の周囲を旋回するキャップを具備するフリップトップ式閉鎖部である、請求項１０に記載の容器。
【請求項１６】
該側壁が、なめらかな丸い縁を有する横断面の形状を有する、請求項１に記載の容器。
【請求項１７】
該横断面の形状が、卵形、楕円形、又はピラミッド形である、請求項１６に記載の容器。
【請求項１８】
該ネックが、中心を外して設置される、請求項１に記載の容器。
【請求項１９】
該ネックが、該側壁に隣接して設置される、請求項１８に記載の容器。
【請求項２０】
該ネックが、該側壁の二つの部分の頂点に隣接して設置される、請求項１９に記載の容器。
【請求項２１】
二つ又はそれ以上の組成物を多区画容器から分配するキットであって、請求項１〜２０のいずれか一項に記載の容器と分配レセプタクルとを具備する、前記キット。
【請求項２２】
前記容器が、該分配レセプタクルと組み重ねるための手段を有する、請求項２１に記載のキット。
【請求項２３】
前記分配レセプタクルが、該容器と組み重ねるための手段を有する、請求項２１に記載のキット。
【請求項２４】
多区画容器から二つ又はそれ以上の組成物を分配するキットであって、前記キットが多区画容器及び分配レセプタクルを具備し、前記容器が該分配レセプタクルと組み重ねるための手段を有する、及び／又は前記分配レセプタクルが該容器と組み重ねるための手段を有する前記キット。
【請求項２５】
シャトル又はホイールブロアを用いる、請求項１に記載の容器を作成するための方法であって、該方法は、
閉じている時、型の中への押出成形されたパリソンの配置であって、前記型は該型を二つ又はそれ以上の区画に分割する内部壁を提供する配置；該型の中へのブローピンの挿入であって、前記ブローピンは各区画への気流を提供して前記パリソンを拡張する挿入；該ブロアを作動させ、容器の基部、側壁、隔壁及びネック部分の同時形成の工程を包含する方法。
【請求項２６】
該流出可能組成物の少なくとも一つは洗剤を含んで成る、二つ又はそれ以上の流出可能組成物を同時に分配するための、請求項１〜２０のいずれか一項に記載の容器の使用。
【請求項２７】
該流出可能組成物の少なくとも一つは漂白剤又は布地ケア活性物質を含んで成る、二つ又はそれ以上の流出可能組成物を同時に分配するための、請求項１〜２０のいずれか一項に記載の容器の使用。
【請求項２８】
請求項１〜２０のいずれか一項に記載の容器と、
流出可能な洗濯洗剤組成物、流出可能な漂白剤組成物又は流出可能な布地ケア組成物とを包含する製造物品。
【発明の詳細な説明】
【０００１】
（発明の分野）
本発明は、流出可能な組成物を収容及び分配するための多区画容器に関係する。より具体的には、本発明は１対１の割合で流出可能な組成物を引力の影響で分配する二区画容器に関係する。このような容器の例は、固体及び液体の洗剤、洗浄剤及び食料品を梱包するために一般に使用される可塑性容器である。本発明は、軽量、強靭で、生産費用のかからない二室容器を製造するための方法にも関係する。
【０００２】
（従来技術の説明）
可塑性容器は、商業用の用途及び家庭用の用途の両方において、実質上あらゆる種類の液体物質及び固体物質を梱包するために、全米及び世界中で広く使用されている。例えば、洗剤産業はますます、漂白剤、石鹸、消毒剤、及びつや出し剤のような製品を梱包するために、可塑性容器に頼るようになった。塑性体は相対的に安価で、落とした時に粉砕せず、リサイクル可能である。
【０００３】
市場性と便利さの両方の理由で、製品には、一より多い室を有する容器又はある方法で接合される一対の容器で、一又はそれ以上の他の製品と共に最良に梱包されるものがある。後者の場合に関して、二つの開口部を有する共通の閉鎖部により接合される二つの別個の容器を含む梱包が既知である。米国特許第５，２８９，９５０号及び第５，２５２，３１２号はこの種類の梱包を開示する。この種類の組み合わせた容器は、製造方法が複雑でありしかも包装される製品の質量当たりの可塑性物質の量が相対的に大きいため、相対的ｍに高額な費用が作成するのにかかる。更にこのような組み合わせた容器は、そのデザインが使用中に個々の容器が分離する可能性を残すという点で望ましくない。
【０００４】
一より多い室を有する可塑性容器を生産するための他の既知の方法は、容器が最初単室の容器として成形され、その後次の再形成工程で別個の区画にヒートシールされるものを包含する。この第二の再形成及び加熱工程のために、製造方法はより時間がかかり、高額である。更に、ヒートシール工程により取り付けられる区画は、材質の薄いウェブのみにより接合される傾向があるので、得られる製品は過度に可撓性である傾向があり、形成される区画の間の相対的な動きを防ぐために配置される特別な閉鎖部、ベースカップ又は接着ラベルのような外部装置による補強を必要とする。
【０００５】
射出押出し吹込み成形方法を用いる方法が、オーエンズブロックウェイプラスチックプロダクツ社（Ｏｗｅｎｓ−Ｂｒｏｃｋｗａｙ Ｐｌａｓｔｉｃ Ｐｒｏｄｕｃｔｓ，Ｉｎｃ．）に譲渡された米国特許第５，８８２，５７４号に開示される。しかしこの複合型方法も、容器本体の残部の吹込み成形の前にネック環が射出成形されるという、時間のかかる製造工程を必要とする。より少ない製造工程で、軽量、丈夫で、相対的に生産が安価である、改善された多室容器の必要性が尚も存在する。硬いネックの仕上げには追加の物質を必要とし、冷却するためにより長い時間を必要とする。
【０００６】
（発明の概要）
本発明は、二つ又はそれ以上の異なる流出可能な組成物を含有するための多区画容器を提供する。この容器は基部、組成物を分配するための開口部を有するネック、基部とネックを相互結合するための側壁を包含し、組成物のための内室を画定する。隔壁は開口部から下向きに伸び、室を二つ又はそれ以上の区画に分割する。好ましくは、隔壁は、側壁の外部表面において基部からネックまで容器の長さに伸びる一対の溝を形成する。更に好ましくは、各々の溝は、ネックが側壁に接続する領域において溝内で向かい合う一対の突起物により細くなっている。
【０００７】
本発明は、引力の影響で実質的に１対１の割合で流出可能な組成物を区画から分配するための手段を有する二区画容器を更に提供する。このような分配手段は、ネック開口部に配置され、開口部の寸法及び／又は形状を調整する規制であり得る。
【０００８】
更に、このような分配手段は、分配中容器を配向する目的も包含するので、区画間の隔壁は分配中、実質的に鉛直の方向に維持される。このような配向手段は、側壁において隔壁に平行である長い軸線を有するくぼみを具備することができる。更に、配向手段は、隔壁に平行である平面において側壁に取り付けられるハンドルを具備してもよい。任意にこのようなハンドルは、側壁に旋回可能に取り付けられ、分配中に容器がハンドルと関連して旋回することを可能にしてもよい。更に適切な配向手段は、下記に説明するような分配カップの補足機構と噛合う又は組み重ねる容器のフリップトップ式閉鎖部及び／又は機構である。
【０００９】
本発明は、分配中に消費者がボトルを回転させる傾向を緩和する及び／又はそのような回転が発生する時に流出する組成物の混乱を緩和するボトルの形状を提供することにより、引力の影響で二区画ボトルからの流出可能な組成物の分配において改善された精度も提供する。
【００１０】
本発明は、二区画容器から注がれる組成物を受けるための分配装置、並びにその容器からの組成物の釣り合いの取れた分配を促進する噛合う機構を有する分配装置及び容器を更になお提供する。
【００１１】
本発明の方法の観点では、単一工程で二区画容器を吹込み成形するための方法が提供され、そこにおいて基部、側壁、ネック及び隔壁を包含する容器全体が単一工程で吹込み成形されるようにパリソンが型に配置される。存在する場合、型は型の残部と共にハンドルを提供するように改良されてもよい。代替的に、事前形成されたハンドルが、容器の成形後に取り付けられてもよい。
【００１２】
（好ましい実施形態の詳細な説明）
本発明の容器は多区画を有することができるが、本明細書では二区画容器として説明される。好ましい形状は、引力の影響で容器から組成物を注ぐ又は分配するために、ネックの頂部に開口部を有する自立構造の容器である。この容器は、二つの部分若しくは多数の部分の液体又は他の流出可能な組成物の複数回分を分配するのに特に適切である。
【００１３】
本発明の容器は、押出し吹込み成形と適合性のあるいかなる可塑性物質からでも作られる、相対的に剛性の壁を有する。このような物質には、再利用のためリサイクルされた物質の他にもＰＥ、ＰＰ、ＰＶＣ、及びＰＥＴが包含される。同様にこれらの素材は、単一層又は多重層に加工されてもよい。本発明の容器の構築において様々な異なる物質が使用されてもよいので、選択される物質は、意図される最終用途及びそのような容器に求められる特性に基づく。
【００１４】
容器の寸法も、最終用途次第で変わり、容器の寸法及び形状は、異なる寸法及び機構に適応するように、型の変更を通して容易に改良されてもよい。本発明の容器の全容量は、１００ｍｌから２５Ｌ以上までの範囲であってもよい。同様に、容器内の区画の相対的な寸法も同じく変わってもよい。例えば、二区画の実施では、二つの等しい寸法の区画が使用されてもよいが、区画が異なる寸法を有する実施形態も考案される。更に具体的には、容器が洗剤、漂白剤、布地柔軟仕上げ剤及び／又は他の布地ケア組成物を保持してもよい洗濯の用途のために、容器は各組成物の少なくとも約５回分から約５０回分までの保存を可能にするのに十分な容量を有することが望ましい。このような洗濯組成物のための一般的な適量は、全ての区画の合計によりもたらされる全容量として約１０ｍｌから約３００ｍｌまでである。
【００１５】
容器の横断面形状は、二区画から１対１の割合で組成物を正確に分配する消費者の能力に重大な影響をもたらし得る。より一貫した分配を提供するために、ある種の形状が決定された。「一貫した正確な分配」は、個々の分量で二区画容器から組成物を分配し、各分量に対して別個の室からの組成物の割合を決定することにより判断されてもよい。その時、各容器の形状、又は下記で検討されるように、容器の放出口の各位置のサンプリングのために標準偏差が計算される。約０．２５より大きい偏差は、一貫しないか又は不正確な分配を提供すると考えられる。約０．２５未満の偏差が、一貫した正確な分配を提供すると考えられる。
【００１６】
理論に縛られないが、ある種の横断面形状は、ユーザが注ぐ間に容器を回転させる傾向を緩和すると考えられる。一般に、より一貫した正確な分配を提供した形状は、卵形、楕円形及び丸いピラミッド形のような丸い滑らかな表面を有する形状を包含する。しかし驚くべきことに、丸い横断面を有する容器は一貫した正確な分配を提供しない。四角形、三角形及びダイヤモンド形のようなまっすぐな側壁を有する容器の形状も、一貫した正確な分配を提供しない。
【００１７】
放出口又は容器開口部の位置も、本発明の容器から一貫した正確な分配を提供するために重要であることも判明した。特に、容器頂部の中心又はその近くに配置される放出口は、一貫した正確な分配を提供しない。中心を外して、好ましくは側壁の近くに放出口を有する容器は、より一貫した正確な分配を提供する。最も好ましくは、放出口は、側壁の二つの部分の頂点又は交点に隣接して位置する。
【００１８】
本発明の容器は、抜け口のある又は抜け口のない意匠の頂部で螺子、引き手、又はスナップキャップを有する種類であることができ、それは消費者により、容易に開けられることができ、区画からの上つぎが可能になる。
【００１９】
好ましくは、閉鎖部は、ネックの上部表面でだけでなく、隔壁の上部表面でも同様に密閉する標準的なラインの閉鎖部であるので、容器からの漏れ及び一区画から他の区画への漏れによる混入を防ぐ密閉が提供される。様々な区画の内容物が、互換性のないことがある、又は互いに低下させる若しくは反応する傾向があることが予想されるので、混入は最大の関心事である。一区画から他の区画へのいかなる漏れも防止するべきである。更に、混合区画又は室がそのような容器に統合されない限り、流出可能な組成物は、それらがボトルから分配されるまで互いに接触するべきではない。
【００２０】
フリップトップ式閉鎖部も、一貫した正確な分配を提供できることが判明した。好ましい容器は、添付の図９ａ及び９ｂに描かれている。実際に、容器を配向するための適切な手段は、容器隔壁平面に垂直であるヒンジ軸線の周囲を旋回するキャップを具備するフリップトップ式閉鎖部１１０であることができる（図９ａ参照）。この方法でボトルを保持することにより、その内容物を分配するためにボトルが傾けられる時、ユーザが隔壁２４を鉛直の方向に維持する可能性が最も高い。閉鎖部１１０は、スカート１１１、ヒンジシステム１１３によりスカートに結合されるキャップ１１２及び容器の各室に対応する少なくとも２つの製品出射孔１１５を有するプラットフォーム１１４を具備する。閉鎖部全体は、容器のネック上に螺子留め又はスナップ留めされることができる。各製品出射孔は、好ましくはプラグシールの手段により容器の各開口部の内側に適合する。キャップは、少なくとも二つのプラグシール１１６を具備し、各製品出射孔からの漏れ及び一つの製品出射孔から他の製品出射孔への漏れを防ぐ。製品出射孔は、容器から一定の距離での密な混合を可能にし、それにより注ぐ間の一区画から他の区画への混入を回避する形状であることができる。更なるフリップトップ式閉鎖部は、国際公開特許ＷＯ９８／２９３２０、ＥＰ８８４２４９及びＷＯ９４／０７７４８に説明されている。
【００２１】
好ましい容器は、添付の図１ａから１ｃまでに描かれている。特に図１ａは、自立構造であり、基部２６及びネック２０を有する二区画ボトル１０を示す。開口部１６は、単にボトルを傾け、引力の影響で内容物がそこから流出することを可能にすることにより、ボトルから流出可能な組成物を分配するために提供される。ボトル１０は、側表面１４及び前後の表面１２を具備する、基部及びネックを相互結合する側壁を有する。前後の表面１２は各々、基部からネックの頂部までボトルの長さに伸びる溝３６により分けられる。側表面１４は凹部分２８を備え、ボトルを握りやすくする。凹部分２８はリブ３０又は同様の突出部を有し、分配中又は運搬中に消費者がボトルをしっかり掴んでいられるようにする。更に、下記により詳細に説明されるような１対１の分配を促進するために、凹部分２８は、分配中に特定の位置でボトルを保持するよう消費者を導くことを意図している。図１ｂは、ボトル１０の側面図を提供し、凹部分２８内のリブ３０の配置を図解している。
【００２２】
開口部１６は、各区画１８のための別個の開口部を提供する。隔壁の上部表面３２及び開口部１６の周囲の上部表面２２は、好ましくは均一で同一平面にあるので、それらは螺子付きキャップの内部表面又はこのようなキャップ内のライナー（図示しない）と係合する。螺子山２０はネック２０の外側表面上に提供され、そのような閉鎖部と係合して閉鎖部を表面２２及び３２に密閉する。
【００２３】
図１ｃは、ボトル１０の横断面図を図１ａの線Ｃ−Ｃ’に沿って示し、凹部分２８内の凸表面及びその表面に沿ったリブ３０の配置を図解している。図１ｃはまた、隔壁２４及び側壁の内部表面により画定される区画１８の内部形状も詳述する。隔壁２４は区画間の単一の壁ではなく、ボトル１０の中央でシーム４４に沿って接合される、接近して整列した一対の壁であることに注意するべきである。隔壁は中央シーム４４に沿って接合されるので、前後の表面に溝３６が提供される。隔壁２４はそれらの全幅にわたって接合されず、平行ではないが、これらの壁は一般に同一平面上にあり、隔壁２４の平面として平面４０について下記に参照される。
【００２４】
ネック２０まで溝３６が伸びると、二つの半分を有するネックが造られる。閉鎖部がその上にしっかりと螺子留めされる時、ネックからの圧壊及び漏れを防ぐために、溝３６は図１ａにおいて３８と参照符をつけたネックの基部で細くなっている。閉鎖部がネック１０に締めつけられて、溝３６を圧壊させる場合、３８の壁は互いに途切あｎれ、更なる圧壊又は漏れを防ぐ。
【００２５】
区画からの均一な分配を促進するために、実質的に鉛直の方向に平面４０を維持することが好ましい。平面４０を実質的に鉛直の方向に維持することにより、区画１８は並行関係にあり、分配中にそれらの内容物は実質的に同一の力をかけられる。更に、並行関係で分配することにより、区画間の混入の可能性は、区画が上下関係である分配に比べて低減する。開口部１６内の各区画へのオリフィスが同じ寸法及び形状である場合、並びに区画の内容物がだいたい同じ粘度を有する場合、本発明の容器は一貫して１対１の分配を提供できる。
【００２６】
この分配の均一性を改善するために、本発明の容器は均一な分配を促進する手段も有する。これらの手段は様々な形状を取ってもよく、区画からの流出組成物を制限するために、開口部１６における様々な寸法及び形状のリストリクタ又はレギュレータ（図示されない）の使用を包含する。以外にも、区画の各々のための円形のオリフィスは、均一な分配を促進するための最適な形状ではなく、楕円形及び様々な多角形の形状がより均一な分配を提供することが判明した。更に、分配中に消費者が平面４０を実質的に鉛直の方向に維持することを確実にするために、配向手段が提供されてもよい。厳密に言えば、凹部分２８が平面４０にだいたい平行である線に沿った側壁１４に提供されるので、消費者がボトルを握り手首を回転させてボトルを傾ける時、平面４０は鉛直の方向に維持される。同様に、図２ａ〜２ｄに描かれるように、ハンドル４２が包含されて、分配中のボトルの適切な配向を促進してもよい。
【００２７】
図２ａは、底部２６及びハンドル４２に関する追加の詳細を提供する、ボトル１０の斜視図を提供する。図２ｂ及び２ｃは高位置から見たボトル１０の図であり、隔壁２４及びその上部表面３２に関する追加の詳細を提供する。
【００２８】
図２ｂに最善に描かれるように、隔壁はボトル１０を二区画１８に分ける。隔壁２４は、基部２６の内部表面から連続し、開口部１６の上部表面３２で終わっている。更に、ボトル１０内の組成物が、運搬中又は保存中に不用意に混ざらないように、上部表面３２は螺子付きキャップと係合する。区画１８の内容物はボトル内では混ざらないが、それらが分配された後でのみ混合することが、ボトル１０について意図される。表面２２と同じ水平面まで隔壁２４を伸ばすことにより、隔壁２４は開口部１６の領域でボトルに追加的な強度を提供することも判明した。
【００２９】
ボトルのユーザは凹部分２８でボトルを握るように、凹部分２８は側面１４上に配置される。この方法でボトルを保持することにより、その内容物を分配するためにボトルが傾けられる時にユーザが隔壁２４を鉛直の方向に維持する可能性が最も高い。容器が区画の各々からの組成物の流出を調節するための特定の手段を有さない時、ボトルに含有される異なる組成物が比較的同量分配されるように、容器を配向するための凹部分２８のような手段を容器が有することが好ましい。更に、ハンドル４２が平面４０に実質的に平行であるように、配向手段は溝３６内で容器の側壁に添付されるハンドル４２を包含してもよい。状況に応じて、ハンドル４２は、容器の側壁に旋回可能に添付されてもよいので、容器を傾ける時ハンドル４２が鉛直な方向に保持されない場合、容器は引力の影響で旋回して角度を正し、注ぐ間、平面４０を鉛直な方向に維持する。ハンドル４２が旋回可能に取り付けられる時、それは平面４０から約６０°まで旋回できることが予想される。
【００３０】
更に、組成物がほぼ１対１の割合で分配されるように、そのような容器は相対的に等しい流動学的特性又は粘度特性を有する組成物を含有することが望ましい。区画からの組成物の流れを調節するための追加手段が提供される場合、配向手段の使用及び組成物の流動学的特性は、余り重要ではない。
【００３１】
二区画ボトル１０は、好ましくは従来のシャトル又はホイール吹込み成形機を使用して、標準的なラインのキャップ又は閉鎖部に適合するように単一工程で作成される。勿論、誘発噴霧器のようなより複雑な閉鎖部及び／又は分配装置も使用されてもよいことが予期される。
【００３２】
ボトル材料の押出形成されたパリソンは、型５６内の適所でクランプ締めされる。型５６はパリソン５４の周囲で閉じられ、特別なブローピン５２が二つの区画を同時に吹込み成形するために挿入される。型５６は内部プレートを有し、吹込まれたパリソンはその周囲で内部隔壁を形成する。
【００３３】
切断環５８上のブローピンの衝撃を通して、ネック２０の頂部で平面３２が形成される。標準的な螺子付き閉鎖部が使用される時でも漏れのないボトルを保証するのは、ネック開口部１６の周辺にあって隔壁の頂部を横切るこの平面３２である。ネック２０を通って伸びる溝３６及び過度の力でネックが圧壊するのを防ぐ細くなった領域３８は、図３ｂでもより詳細に示される。
【００３４】
物品と併せて有用な装置：分配装置
本発明の容器は、望ましくは分配装置又は物品と併せて使用される。例えば、適用量の流出可能な洗剤組成物及び流出可能な漂白組成物は、同時に又は順次（好ましくは同時）に本発明品の容器から分配カップの中に分配されることができる。分配カップは、洗濯前処理ディスペンサとして又は洗濯機に入れることができる「分配ボール」として作用する能力を有する種類を包含する、当該技術分野において既知の多くのいかなる種類であってもよい。適切な分配ボールは、プロクターアンドギャンブル社（Ｔｈｅ Ｐｒｏｃｔｅｒ ＆ Ｇａｍｂｌｅ Ｃｏｍｐａｎｙ）に譲渡された米国特許第５，２６７，６７１号及びユニレバー社（Ｕｎｉｌｅｖｅｒ）に譲渡されたＥＰ０３６８６８０Ｂ１に開示されている。更に最近開発された前処理タイプのディスペンサは、プロクターアンドギャンブル社（Ｔｈｅ Ｐｒｏｃｔｅｒ ＆ Ｇａｍｂｌｅ Ｃｏｍｐａｎｙ）により商標名「キック」（Ｋｉｃｋ）で販売されている「ローラーボール」タイプとして既知のものを包含する。より好ましくは、図４ａ及び４ｂに描かれるような簡単な分配カップが、本発明の多区画室と併せて使用される。
【００３５】
更に、分配カップは、二区画容器からの組成物の分配精度を更に改善する機構を有することができる。一般に、分配カップ上の補足的機構と噛合う又は組み重ねる容器の機構は、分配中に適切な向きで容器を保持するようにユーザを方向づける手段として使用されることができる。明らかにそのような配向手段はいかなる型の容器、好ましくは多区画容器にも使用されることができ、一貫した正確な分配を提供し、本発明の特定の多区画容器に限定されない。
【００３６】
より具体的には、図５ａから８ｂまでは、分配中に適切な向きで容器を保持するようにユーザを方向づけるために使用できる様々な手段を描いている。これらの手段は本明細書及び添付された請求項において「組み重ね手段」と呼ばれる。図５ａ及び５ｂは、ハンドグリップとして使用するための凹部分６８を有する容器６４を示す。容器６４上の平面６６は、ディスペンサ６０に供給されたまっすぐな縁６２と噛合うためのまっすぐな面を提供する。図５ｂに示されるように、縁６２は面６６と接触し、容器６４が傾けられて引力の影響で内容物を分配する時、そこで保持される。この配向において、容器の二区画は並行した配向で保持され、区画の内容物は、同様の流動学的特性であると仮定した場合、容器から１対１の割合で流出する。同様に、図６ａ及び６ｂでは、容器７６はディスペンサ７２上のフィン（ひれ）７４を受けるための溝７８を備える。図７ａ及び７ｂでは、フィン９４は容器９０の側壁から伸びて供給される。フィン９４は、分配カップ８２上の溝８４又は凹部分８８と係合する。図８ａ及び８ｂでは、容器９７は分配カップ９６の縁９９と噛合うための凹部分９８を備える。
【００３７】
物品
本発明は、上記のような容器、３０％未満の水分、好ましくは２０未満の水分を含有し、漂白剤を含有しない第一の流出可能な組成物並びに約３０％未満の漂白剤、好ましくは約２０％未満の漂白剤及び約３０％より多い水分、好ましくは約５０％より多い水分を含有する第二の流出可能な水性液体漂白剤組成物を含んで成る製造物品も提供する。適切な漂白剤には、ＰＡＰ、ＴＰＣＡＰ又は他のペル酸類、過酸化水素、及びそれらの混合物が含まれる。
【００３８】
（実施例）
実施例Ａ
【表１】
2004509026.tif 000003
【００３９】
【表２】
2004509026.tif 000004
【００４０】
本発明の製造物品の他の例は、上記のような容器、布地ケア成分を含んで成る第一の流出可能な組成物、洗浄成分を含んで成る第二の流出可能な組成物であり、そこにおいてこれら二つの液体は共に混ざり合って泡を形成する。
【００４１】
実施例Ｂ
【表３】
2004509026.tif 000005
【００４２】
【表４】
2004509026.tif 000006
【００４３】
キット
好ましい物品はキットに梱包されることができ、前記キットは分配装置、使用説明書、又はそれらの組み合わせを更に包含する。
【００４４】
他の長所、他の実施形態および効果
好ましい実施形態及び実施例を参照して本発明を詳細に説明したが、本発明の範囲を逸脱することなく様々な変更及び修正が可能であり、又本発明が本明細書に説明される事柄に限定して考えられるべきではないことが当業者には明白であろう。最も重要なことは、本発明の容器は、含有されそこから分配されることができる流出可能な組成物に関して限定されないことが当業者には認められるであろう。
【図面の簡単な説明】
【図１ａ】本発明の容器の正面図である。
【図１ｂ】図１ａの容器の側面図である。
【図１ｃ】線Ｃ−Ｃ’に沿った図１ａの容器の横断面図である。
【図２ａ】ハンドルを有する本発明の容器の斜視図である。
【図２ｂ】図２ａの容器の高位置からの斜視図である。
【図２ｃ】容器を二区画に分ける隔壁を示す、図２ａの容器の高位置からの図である。
【図２ｄ】図２ａの容器の底部の図である。
【図３ａ】本発明の二区画容器を作成するために使用されてもよいブローピンの横断面図である。
【図３ｂ】本発明の二区画容器の上部部分の側面図である。
【図４ａ】本発明の多区画容器と併せて使用されてもよい分配カップの上面図である。
【図４ｂ】図４ａの分配カップの側面図である。
【図５ａ】本発明の二区画容器と噛合うための分配装置を伴う前記容器の斜視図である。
【図５ｂ】図５ａの容器及び分配装置の側面図である。
【図６ａ】本発明の二区画容器と噛合うための分配装置を伴う前記容器の斜視図である。
【図６ｂ】図６ａの容器及び分配装置の側面図である。
【図７ａ】本発明の二区画容器と噛合うための分配装置を伴う前記容器の斜視図である。
【図７ｂ】図７ａの容器及び分配装置の側面図である。
【図８ａ】本発明の二区画容器と噛合うための分配装置を伴う前記容器の斜視図である。
【図８ｂ】図８ａの容器及び分配装置の側面図である。
【図９ａ】フリップトップ式キャップを有する、本発明の二区画容器の側面図である。
【図９ｂ】図９ａの容器の斜視図である。
【国際公開パンフレット】
2004509026.tif 000007
2004509026.tif 000008
2004509026.tif 000009
2004509026.tif 000010
2004509026.tif 000011
2004509026.tif 000012
2004509026.tif 000013
2004509026.tif 000014
2004509026.tif 000015
2004509026.tif 000016
2004509026.tif 000017
2004509026.tif 000018
2004509026.tif 000019
2004509026.tif 000020
2004509026.tif 000021
2004509026.tif 000022
2004509026.tif 000023
2004509026.tif 000024
2004509026.tif 000025
2004509026.tif 000026
2004509026.tif 000027
2004509026.tif 000028
2004509026.tif 000029
2004509026.tif 000030
2004509026.tif 000031
2004509026.tif 000032
2004509026.tif 000033
2004509026.tif 000034
2004509026.tif 000035
【国際調査報告】
2004509026.tif 000036
2004509026.tif 000037
2004509026.tif 000038
2004509026.tif 000039